(57)【要約】【課題】原稿読み取り開始から画像データの電子メール送信終了までに必要な時間を短縮すると共に送信先との接続ができなかった場合等における操作性を向上したファクシミリ装置を提供する。【解決手段】原稿第１頁Ｐ１、第２頁Ｐ２、第３頁Ｐ３の読み取りと略並行して、対応する画像データＰ１Ｄ、Ｐ２Ｄ、Ｐ３Ｄを作成し、さらに並行してパケット毎に変換した電子メールデータＤ１乃至Ｄ９を作成する。電子メールデータＤ１の作成が終了すれば送信メールデータＭＤ１を送信し、以降順次各対応する電子メールデータＤ２乃至Ｄ９に応じて送信メールデータＭＤ２乃至ＭＤ９を逐次送信する。送信先との接続ができなかった場合に、その旨報知して電子メール送信を継続するか又は中止するかのいずれかを選択させる報知選択手段を設けるものとする。【選択図】        図３
2004172760.tif 000002
【特許請求の範囲】
【請求項１】
送信すべき原稿を読み取り、ファクシミリ通信用画データを作成して通信ネットワークにより送信先へ送信するファクシミリ装置において、
前記原稿の読み取りと並行してファクシミリ通信用画データをパケット毎の電子メールデータに逐次変換するデータ変換手段と、前記電子メールデータをパケット毎に逐次電子メール送信する逐次送信手段と、電子メール送信に際して送信先との接続ができなかった場合に送信先との接続ができなかった旨を報知して、電子メール送信の継続又は中止のいずれかを選択可能とする報知選択手段と
を備えることを特徴とするファクシミリ装置。
【請求項２】
前記報知選択手段は、電子メール送信に際して送信エラーを検出した場合に送信エラーの内容を報知して、電子メール送信の継続又は中止のいずれかを選択可能とすることを特徴とする請求項１記載のファクシミリ装置。
【請求項３】
前記電子メール送信に際して送信エラーを検出した場合に送信エラーの内容が電子メール送信を継続できない状態に該当するときは、電子メール送信を継続できない旨を報知して、電子メール送信を中止する送信中止手段を備えることを特徴とする請求項１又は２記載のファクシミリ装置。
【発明の詳細な説明】
【０００１】
【発明の属する技術分野】
本発明は、ファクシミリ装置に関し、より具体的にはインターネット、ローカルエリアネットワーク（ＬＡＮ（Ｌｏｃａｌ    Ａｒｅａ    Ｎｅｔｗｏｒｋ））などの通信ネットワークを介して電子メールとして画像データを送信可能としたいわゆるインターネットファクシミリ装置に関する。
【０００２】
【従来の技術】
従来のインターネットファクシミリ装置（以下、ファクシミリ装置）は、送信すべき原稿を読み取って、例えばＭＨ、ＭＲ、ＭＭＲなどの符号化方式により符号化イメージデータ（ファクシミリ通信用画データ。以下、画像データ）を作成し、画像データの作成が終了した後に電子メールにより送信するための電子メールデータ（例えば、ＴＩＦＦ（Ｔａｇｇｅｄ    Ｉｍａｇｅ    Ｆｉｌｅ    Ｆｏｒｍａｔ  ）形式の画像フォーマット）に変換し、さらにその変換が終了した後に電子メール送信を行っていた。このような従来のファクシミリ装置においては、原稿読み取りから電子メール送信開始までの時間、さらには電子メール終了までの時間は、各処理時間を略加算した時間となる。なお、ＴＩＦＦ形式の画像データ（ＴＩＦＦイメージデータ）はバイナリデータであり、このままでは、通信ネットワークに接続されているパーソナルコンピュータ、ファクシミリ装置など各種装置の中でバイナリデータを扱えない種類の装置への送信ができないことから、送信先へ確実に電子メールが届くようにするために、電子メール送信時には一旦テキストデータに変換した後に送信される。バイナリデータからテキストデータへのバイナリ／テキスト変換（エンコード）は、例えば、ＭＩＭＥ（Ｍｕｌｔｉｐｕｒｐｏｓｅ    Ｉｎｔｅｒｎｅｔ    Ｍａｉｌ    Ｅｘｔｅｎｓｉｏｎｓ    ）のｂａｓｅ６４を利用して行うことができる。
【０００３】
【特許文献１】
特開平１０−３２２５０１号公報
【０００４】
【発明が解決しようとする課題】
上述したように各段階での処理がシリアルに行われる従来のファクシミリ装置においては、原稿読み取り開始から電子メール送信終了までに必要な時間は、各処理時間が略シリアルに加算されることから長くなり、迅速に送信できるという電子メールの特徴を十分に活用することができないという問題に加えて、送信先との接続ができなかった場合、又は送信エラーが検出された場合に、これらの状況への対応が円滑にできず、送信時の混乱を回避できないという問題があった。
【０００５】
本発明は、斯かる問題に鑑みてなされたものであり、電子メール送信指示（電子メール送信操作）により原稿の読み取りを開始した後、原稿の読み取り処理、読み取った原稿から画像データを作成する画像データ作成処理、作成した画像データをパケット毎の電子メールデータに逐次変換する電子メールデータ作成処理、及び電子メールデータをパケット毎に逐次電子メール送信する電子メール送信処理を並行して行う（パラレル処理）ことにより、原稿読み取り開始から画像データの電子メール送信終了までに必要な時間を短縮すると共に、電子メール送信に際して送信先との接続ができなかった場合に、その旨報知して電子メール送信を継続するか又は中止するかのいずれかを選択させる報知選択手段を設けることにより接続ができなかったときの対応を円滑になしうるファクシミリ装置を提供することを目的とする。
【０００６】
さらに、本発明は、電子メール送信に際して送信エラーが検出された場合に、その旨報知して電子メール送信を継続するか又は中止するかのいずれかを選択させる報知選択手段を設けることにより接続ができなかったときの対応を円滑になしうるファクシミリ装置を提供すること、送信エラーの内容が電子メール送信を継続できない状態に該当するときは、電子メール送信を継続できない旨の報知をして、電子メールの送信を中止する送信中止手段を設けることにより原稿の読み取り処理から画像データの電子メール送信処理までの並行処理（１回の電子メール送信過程）において、送信済みの電子メールデータを含めて遡及して破棄することができるファクシミリ装置を提供することを目的とする。
【０００７】
【課題を解決するための手段】
第１発明に係るファクシミリ装置は、送信すべき原稿を読み取り、ファクシミリ通信用画データを作成して通信ネットワークにより送信先へ送信するファクシミリ装置において、前記原稿の読み取りと並行してファクシミリ通信用画データをパケット毎の電子メールデータに逐次変換するデータ変換手段と、前記電子メールデータをパケット毎に逐次電子メール送信する逐次送信手段と、電子メール送信に際して送信先との接続ができなかった場合に送信先との接続ができなかった旨を報知して、電子メール送信の継続又は中止のいずれかを選択可能とする報知選択手段とを備えることを特徴とする。
【０００８】
第２発明に係るファクシミリ装置は、第１発明において、前記報知選択手段は、電子メール送信に際して送信エラーを検出した場合に送信エラーの内容を報知して、電子メール送信の継続又は中止のいずれかを選択可能とすることを特徴とする。
【０００９】
第３発明に係るファクシミリ装置は、第１発明又は第２発明において、前記電子メール送信に際して送信エラーを検出した場合に送信エラーの内容が電子メール送信を継続できない状態に該当するときは、電子メール送信を継続できない旨を報知して、電子メール送信を中止する送信中止手段を備えることを特徴とする。
【００１０】
本発明に係るファクシミリ装置にあっては、電子メール送信に際して送信先との接続ができなかった場合に、その旨報知して電子メール送信を継続するか又は中止するかのいずれかを操作者に選択させることとしたので、電子メール送信に際して送信先との接続ができなかった場合の操作を円滑にすることができる。
【００１１】
本発明に係るファクシミリ装置にあっては、電子メール送信に際して送信エラーが検出された場合に、その内容を報知して電子メール送信を継続するか又は中止するかのいずれかを操作者に選択させることとしたので、電子メール送信に際して送信エラーが検出された場合の操作を円滑にすることができる。
【００１２】
本発明に係るファクシミリ装置にあっては、送信エラーの内容が電子メール送信を継続できない状態に該当するときは、電子メール送信を継続できない旨の報知をして、電子メールの送信を中止することとしたので、電子メール送信に際して送信エラーが検出された場合の操作を円滑にすることができる。また、本発明に係るファクシミリ装置にあっては、原稿の読み取り処理から電子メール送信処理までの並行処理（１回の電子メール送信過程）において、電子メール送信が中止された場合に、送信済みの電子メールデータを含めて遡及して破棄することができ、例えば誤送信のデータを送信先に知られることを防止できる。
【００１３】
【発明の実施の形態】
以下、本発明をその実施の形態を示す図面に基づいて説明する。
図１は本発明に係るファクシミリ装置が接続された態様の通信ネットワーク構成を示す模式図である。１Ａ、１Ｂ、１Ｃ、１Ｄは本発明に係るファクシミリ装置（以下、ＩＮＦＡＸ）である。なお、ＩＮＦＡＸ１Ａ、１Ｂ、１Ｃ、１Ｄ（以下、区別が不要な場合にはＩＮＦＡＸ１とすることもある）は公衆電話回線網（以下、ＰＳＴＮ）を用いた従来からのファクシミリ装置としても利用可能であることは言うまでもないので、図においてＰＳＴＮとの接続の態様は省略している。
【００１４】
ＬＡＮには、ＩＮＦＡＸ１Ａ、１Ｂ、メールサーバ（以下、ＭＳ）３Ａ、パーソナルコンピュータ（以下、ＰＣ）２Ａなどが接続されており、これらの装置（ＩＮＦＡＸ１Ａ、１Ｂ、ＰＣ２Ａなど）はＭＳ３Ａを介して相互に電子メールによる通信（送信、受信）が可能なように構成されている。また、ＬＡＮはルータ４を介してインターネットＩＮに接続されており、インターネットＩＮにはＬＡＮと同様にＩＮＦＡＸ１Ｃ、１Ｄ、ＭＳ３Ｂ、ＰＣ２Ｂなどが接続されており、これらの装置（ＩＮＦＡＸ１Ｃ、１Ｄ、ＰＣ２Ｂなど）はＭＳ３Ｂを介して相互に電子メールによる通信が可能なように構成されている。さらに、ＬＡＮに接続された各装置とインターネットＩＮに接続された各装置とはＭＳ３Ａ、３Ｂ、ルータ４を介して相互に電子メールによる通信が可能な構成とされている。
【００１５】
図２は本発明に係るファクシミリ装置の内部構成例を示すブロック図である。本発明に係るファクシミリ装置であるＩＮＦＡＸ１は、ＣＰＵで構成された制御部１０を備えている。制御部１０はバス１１を介して読取部１２、記録部１３、操作部１５、ＬＡＮインターフェイス（以下、ＬＡＮＩＦ）１６、表示部１７、ＲＯＭ１８、ＲＡＭ１９、画像メモリ２０、モデム２１、回線制御部（以下、ＮＣＵ）２２、ハードディスク（以下、ＨＤ）２３、データ変換部２４と接続され、これら各部を制御し、ＲＯＭ１８に予め格納されているコンピュータプログラムに従って種々の機能を実行し、各部と連携して又は単独で本発明における各種の手段（画像データ作成手段、データ変換手段、逐次送信手段、識別手段、報知選択手段、送信中止手段など）として機能する。
【００１６】
読取部１２は、ＣＣＤなどを利用したスキャナで送信すべき原稿を読み取り、図示しないＣＯＤＥＣなどにより、例えば白黒２値に変換して符号化された画像データを作成して出力し、バス１１を介してＤＲＡＭなどにより構成されている画像メモリ２０に記憶させる。この際の符号化方式として、ＭＨ、ＭＲ、ＭＭＲなどの符号化方式がファクシミリ通信の規格により定められている。なお、ＣＯＤＥＣなどの符号化部を読取部１２とは別個に設けて符号化を行っても良いことは言うまでもない。記録部１３は電子写真方式などのプリンタ装置であり、他のファクシミリ装置からファクシミリ通信により受信したイメージデータ、または通信ネットワークにより受信したイメージデータをハードコピーとしてプリントアウトして記録する。原稿読み取り時のスキャナ方式としてはＦＢＳ（Ｆｌａｔ    Ｂｅｄ    Ｓｃａｎｎｅｒ    ）、ＡＤＦ（Ａｕｔｏ    Ｄｏｃｕｍｅｎｔ    Ｆｅｅｄｅｒ  ）があるがいずれでも良い。
【００１７】
操作部１５は、ＩＮＦＡＸ１を操作するために必要な文字キー、テンキー、短縮ダイヤルキー、ワンタッチダイヤルキー、各種のファンクションキーなどを備え、入力部をも兼ねる形態としておく。なお、上述の表示部１４をタッチパネル方式とすることにより、この操作部１５の各種キーの内の一部または全部を代用することも可能である。
【００１８】
ＬＡＮＩＦ１６は、ＩＮＦＡＸ１（例えばＩＮＦＡＸ１Ａ）がＬＡＮを介して他のＩＮＦＡＸ１（１Ｂ）、ＰＣ（２Ａ）、ＭＳ（３Ａ）と通信を行うためのインターフェイスであり、またルータ（４）を介してインターネットＩＮとも接続され、他のＩＮＦＡＸ１（１Ｃ、１Ｄ）、ＰＣ（２Ｂ）、ＭＳ（３Ｂ）と通信を行うこともできる。
【００１９】
表示部１７は、液晶表示装置（ＬＣＤ）などの表示装置であり、ＩＮＦＡＸ１の動作状態を表示し、さらには、送信すべき原稿のイメージデータ（画像データ）、受信したイメージデータ（画像データ）、ＨＤ２３に記録蓄積された画像データなどの表示を行う。
【００２０】
ＲＡＭ１９は、制御部１０によるコンピュータプログラムの実行時に発生する一時的なデータを記憶するもので、例えばＤＲＡＭ、フラッシュメモリなどにより構成される。ＨＤ２３は大容量のメモリであり、画像データの蓄積、電子メールアドレス、ファクシミリ番号、送信先名称、短縮キー対応ファクシミリ番号、電話番号などの記憶を適宜行う。
【００２１】
モデム２１は、ファクシミリ通信が可能なファクシミリモデムにより構成されている。モデム２１にはＮＣＵ２２が直接的に接続されており、ＮＣＵ２２は、ＰＳＴＮに対する接続、又は切断を行い、必要に応じてモデム２１をＰＳＴＮに接続し、ＩＮＦＡＸ１と外部のファクシミリ装置（電子メールによらない従来型のファクシミリ装置）との間のファクシミリ通信の制御を行う。
【００２２】
データ変換部２４は、上述したファクシミリ通信規格に従って符号化された原稿の画像データ（Ｆａｘ画像データ）を、例えば、ＴＩＦＦ形式、ＰＤＦ形式の画像フォーマットに変換して電子メールでの送信が可能なデータ構造とする。送信に際して、ＴＩＦＦ形式の画像フォーマットは、例えば、ＭＩＭＥ（Ｍｕｌｔｉｐｕｒｐｏｓｅ    Ｉｎｔｅｒｎｅｔ    Ｍａｉｌ    Ｅｘｔｅｎｓｉｏｎｓ    ）のｂａｓｅ６４を利用してバイナリデータからテキストデータへバイナリ／テキスト変換（エンコード）される。なお、受信時には、データ変換部２４は、送信時とは逆の変換を行う構成とできることは言うまでもない。
【００２３】
データ変換部２４にはさらに電子メール送信に際して必須の電子メールヘッダを作成する機能を持たせても良い。電子メールヘッダは電子メール発信日時、電子メール発信元、電子メール送信先、電子メールの付加的情報（例えば題名）などの情報が含まれる。なお、付加的情報にはインターネットＩＮを利用したファクシミリ通信であることを示すコード（ＩＦＡＸ）などを適宜含めておく。
【００２４】
図３は本発明に係るファクシミリ装置の動作タイミングの状況を説明する説明図である。横軸は時間の経過を示し、同図（ａ）は電子メール送信における動作期間を、（ｂ）は読取部１２における原稿読み取り状況を、（ｃ）は例えば読取部１２における画像データ作成状況を、（ｄ）は例えばデータ変換部２４における電子メールデータ作成状況を、（ｅ）はＬＡＮＩＦ１６を介しての電子メール送信状況をそれぞれ示す。
【００２５】
同図（ａ）は、電子メール送信の動作期間における電子メール送信指示（指示受付）、送信先受信能力識別（識別動作）、切断指示の時間的関係の一例を示す。先ず事前に、送信すべき原稿のセット、読取部１２の読取条件の設定、電子メール送信に必要な事項（送信先メールアドレスなどのメールヘッダ作成に必要な事項など）の入力などが操作部１５からなされる。なお、送信先のメールアドレスなど変更のない事項については、事前にＨＤ２３に登録しておき、適宜呼び出して選択できる構成としても良い。電子メール送信に必要な事項が入力などされた後、電子メール送信指示が操作部１５から入力（電子メール送信操作）されると、制御部１０は予めＲＯＭ１８に組み込まれたコンピュータプログラムに基づいて各部の動作制御を開始しＩＮＦＡＸ１は動作を開始する。動作開始後、送信先（メールアドレス）に対応させてＨＤ２３に既存データとして登録されている送信先の受信能力を識別する。なお、送信先の受信能力は事前に取得してＨＤ２３に登録しておくことが望ましいが、新規に電子メール送信する場合には適宜な識別手段などにより、電子メールデータ送信前に送信先から情報を取得する構成としても良い。電子メールの送信が終了した段階（動作期間の最終時点）で制御部１０から切断指示が出力されＩＮＦＡＸ１としての電子メール送信動作を終了する。
【００２６】
同図（ｂ）は、読取部１２のスキャナによる例えば３枚の原稿の読み取り（原稿読み取り処理）状況を示す。原稿第１頁Ｐ１、原稿第２頁Ｐ２、原稿第３頁Ｐ３の読み取り状況を示す。つまり、図示したように原稿の読み取りは、通常、頁単位（１枚毎）で行われる。電子メール送信開始指示により制御部１０は読取部１２の動作を制御し、読取部１２はスキャナにより原稿を１枚ずつ読み取る。
【００２７】
同図（ｃ）は、読み取った３枚の原稿についての画像データ作成（画像データ作成処理）状況を示す。Ｐ１Ｄは原稿第１頁Ｐ１の画像データ（作成状況）を、Ｐ２Ｄは原稿第２頁Ｐ２の画像データ（作成状況）を、Ｐ３Ｄは原稿第３頁Ｐ３の画像データ（作成状況）を示す。読取部１２は、原稿の読み取りと略並行して、読み取った原稿を例えば白黒２値に符号化した画像データを作成する。読取部１２は制御部１０と共に画像データ作成処理を行う画像データ作成手段として動作し、作成した画像データを画像メモリ２０に記憶する。なお、画像データ（ファクシミリ通信用画データ）のデータ構造は上述したとおりであり、例えば、ＭＨ、ＭＲ、ＭＭＲなどの符号化方式により白黒２値に変換された符号化データである。さらに、前記原稿を読み取る前に送信先の受信能力を識別する場合においては、画像データ作成手段は、識別した送信先の受信能力（受信能力情報）に応じて画像データを作成するように構成できるから、画像データのより適切な作成とより円滑な送信が可能となる。なお、送信先の受信能力には例えば解像度、用紙サイズなどがある。
【００２８】
同図（ｄ）は、３枚の原稿について作成された画像データを電子メールデータに変換する電子メールデータ作成（電子メールデータ作成処理）状況を示す。Ｄ１乃至Ｄ３は、画像データＰ１Ｄをパケット毎に変換した電子メールデータ（作成状況）を、Ｄ４乃至Ｄ６は、画像データＰ２Ｄをパケット毎に変換した電子メールデータ（作成状況）を、Ｄ７乃至Ｄ９は、画像データＰ３Ｄをパケット毎に変換した電子メールデータ（作成状況）を示す。つまりここでは画像データはそれぞれ３個のパケットに分割されて電子メールデータを作成されている。データ変換部２４は制御部１０と共に電子メールデータ作成処理を行う電子メールデータ作成手段（データ変換手段）として動作する。つまり、送信先の受信能力に応じて作成され、画像メモリ２０に記憶された画像データ（Ｐ１Ｄ乃至Ｐ３Ｄ）は、適宜のパケット（所定容量）毎に逐次読み出され、原稿読み取りと略並行して電子メールデータ（Ｄ１乃至Ｄ９）に変換される。なお、電子メールデータ（Ｄ１乃至Ｄ９）の作成に先立ち、公知の方法により電子メールヘッダＨを作成しておくことは言うまでもない。なお、この際の変換フォーマットは上述したとおりであり、例えば、白黒２値に符号化された画像データをＴＩＦＦ形式、ＰＤＦ形式の画像フォーマットに変換して電子メールでの送信が可能な電子メールデータとする。
【００２９】
同図（ｅ）は、ＬＡＮＩＦ１６を介しての電子メール送信（電子メール送信処理）状況を示し、作成された電子メールデータ（Ｄ１乃至Ｄ９）が作成された都度、逐次電子メール送信されることを示す。ＭＨ、ＭＤ１乃至ＭＤ９は送信状態の電子メールヘッダ、電子メールデータ（送信メールヘッダＭＨ、送信メールデータＭＤ１乃至ＭＤ９）を示し、それぞれ送信前の電子メールヘッダＨ、電子メールデータＤ１乃至Ｄ９に対応する。なお、送信メールヘッダＭＨ、送信メールデータＭＤ１乃至ＭＤ９の全体が一つの電子メールとして扱われ、この期間においては同図（ａ）にも示したとおり接続が維持される。
【００３０】
上述の電子メール送信に際しては、汎用的な通信規約であるＳＭＴＰを用いて所定のデータ変換を行う。なお、送信メールヘッダの送信に先立ち、送信先との接続、つまり通信開始を行う通信開始コマンド（例えば、ＳＭＴＰのＨＥＬＯコマンド）を送信し、送信先との接続を行う。その後送信メールヘッダＭＨ、送信メールデータＭＤ１乃至ＭＤ９を送信する。送信メールデータＭＤ９の送信が終了した時点でＳＭＴＰに基づく接続の終了（切断動作）を行う。送信メールヘッダＭＨ、送信メールデータＭＤ１乃至ＭＤ９は対応する電子メールヘッダＨ、電子メールデータＤ１乃至Ｄ９がそれぞれ作成された都度、逐次送信を行うように制御部１０に予め並行処理のコンピュータプログラムを組み込んでおく。即ち、電子メールヘッダＨの作成が終了すれば送信メールヘッダＭＨを送信し、電子メールデータＤ１の作成が終了すれば送信メールデータＭＤ１を送信し、以降順次各対応する電子メールデータの作成に応じて送信メールデータを送信する構成とする。ＬＡＮＩＦ１６は制御部１０と共に、電子メール送信処理を行う電子メール送信手段（逐次送信手段）として動作する。つまり、ＬＡＮＩＦ１６は制御部１０と共に、電子メールデータをパケット毎に逐次電子メール送信して電子メール送信処理を行う。このような構成により、原稿の読み取り、画像データの作成、電子メールデータの作成と並行して電子メールデータの送信を行うことができる。
【００３１】
図４は本発明に係るファクシミリ装置の基本動作フローの概要を示すフローチャートである。なお、動作フローは一例でありこれに限るものではない。また、このような動作フローは、ＲＯＭ１８へコンピュータプログラムを予め組み込んでおくことにより行うことができる。先ず、電子メール送信をする送信先の電子メールアドレスの入力を操作部１５において受け付ける（Ｓ２）。送信先の電子メールアドレスが既にＨＤ２３に登録されている場合には、登録リストを呼び出してその中から適宜選択する形態とすることが可能である。次に、電子メール送信の指示（電子メール送信操作）を操作部１５において受け付ける（Ｓ４）。
【００３２】
電子メール送信の指示を受け付けた操作部１５からの信号により、制御部１０は送信原稿の読み取りを読取部１２に指示し、読取部１２において原稿の読み取り、つまり原稿読み取り処理がなされる（Ｓ６）。この原稿読み取り処理は、通常は上述したとおり頁単位で行われる。原稿読み取り処理と並行してＦａｘ画像データ（画像データつまりファクシミリ通信用画データ）の作成（画像データ作成処理）が画像データ作成手段により行われ、画像データは画像メモリ２０に記憶される（Ｓ８）。この際の画像データのデータ変換方式は上述したとおりである。
【００３３】
原稿読み取り処理と並行して、送信先の受信能力に応じて作成された画像データは、パケット毎に画像メモリ２０から読み出される。読み出された画像データは、電子メールデータ作成手段（データ変換手段）によりパケット毎に逐次電子メールデータの作成（電子メールデータへの逐次データ変換）、つまり電子メールデータ作成処理がなされる（Ｓ１０）。したがって、画像データは、原稿読み取り処理と並行して、電子メールデータに逐次変換される。
【００３４】
電子メール送信に先立ちＬＡＮＩＦ１６を介してインターネットＩＮ（又はＬＡＮ）への接続を行い、通信を開始する通信開始コマンド（例えば、ＳＭＴＰのＨＥＬＯコマンド）を送信先へ送信する。インターネットＩＮとの接続後、逐次変換された電子メールデータは、電子メール送信手段（逐次送信手段）によりパケット毎に逐次電子メール送信、つまり電子メール送信処理がなされる（Ｓ１２）。したがって、電子メールデータは、原稿読み取り処理と並行して、逐次電子メール送信される。
【００３５】
原稿読み取り処理と並行して、画像データ作成処理、電子メールデータ作成処理、電子メール送信処理を行うと共に、送信原稿について次頁の有り無しを判断し原稿読み取り状況を確認する（Ｓ１４）。次頁が有る場合には、ステップＳ６へ戻り各処理動作を継続する。次頁が無い場合には、未送信の電子メールデータの有り無しを確認する（Ｓ１６）。未送信の電子メールデータが有る場合には、ステップＳ１２へ戻り電子メール送信を継続する。未送信の電子メールデータが無い場合には、インターネットＩＮとの接続を解除、つまり切断を行う（Ｓ１８）。インターネットＩＮとの接続を解除するに際しては、通信を終了する終了コマンド（例えば、ＳＭＴＰのＱＵＩＴコマンド）を送信先へ送信する。上述した基本動作以外の機能をさらに組み込ませることも可能であり、その場合には当該機能に応じたサブルーチンをコンピュータプログラムとしてＲＯＭ１８へ予め組み込んでおくことにより行うことができる。
【００３６】
図５は本発明に係るファクシミリ装置の機能動作フローの概要を示すフローチャートである。なお、動作フローは一例でありこれに限るものではない。また、このような動作フローは上述したとおり、ＲＯＭ１８へコンピュータプログラムを予め組み込んでおくことにより行うことができる。電子メール送信に先立ちＬＡＮＩＦ１６を介してインターネットＩＮ（又はＬＡＮ）への接続を行い、上述したように通信を開始する通信開始コマンド（例えば、ＳＭＴＰのＨＥＬＯコマンド）を送信先へ送信することにより、電子メール送信を開始する（Ｓ２０）。次に、送信先との接続ができたか否かを例えばＳＭＴＰの適宜のコマンドを用いて確認する（Ｓ２２）。送信先との接続ができている場合（Ｓ２２：ＹＥＳ）には、電子メール送信を継続する（Ｓ２４）。
【００３７】
送信継続中においては、適宜の周期で、あるいは適宜のコマンドを用いて送信エラーを検出する（Ｓ２６）。送信エラーが無い場合（Ｓ２６：ＮＯ）には、未送信電子メールデータの有無を確認する（Ｓ２８）。未送信電子メールデータが有る場合（Ｓ２８：ＹＥＳ）には、ステップＳ２４へ戻り、電子メール送信を継続する。未送信電子メールデータが無い場合（Ｓ２８：ＮＯ）には、電子メール送信を終了する（Ｓ３０）。送信エラーが有る場合（Ｓ２６：ＹＥＳ）には、その送信エラーの内容が（電子メール）送信の継続不可能な送信エラーに該当するか否かを確認する（Ｓ３２）。
【００３８】
送信継続が可能な送信エラーの場合（Ｓ３２：ＮＯ）には、報知選択手段により、送信エラーの内容を報知し（Ｓ３４）、電子メール送信の継続又は中止のいずれかの選択ができるようにする（Ｓ３６）。なお、送信継続が可能な送信エラーの場合としては、例えばタイムアウトなどが含まれる。電子メール送信の継続が選択された場合（Ｓ３６：継続）にはステップＳ２４へ戻り、電子メール送信を継続する。電子メール送信の中止が選択された場合（Ｓ３６：中止）には、電子メール送信を中止（すなわち切断）する（Ｓ３８）。なお、電子メール送信の中止時においては、接続中止コマンド（ＳＭＴＰのＲＳＥＴコマンド、ＱＵＩＴコマンドなど）が適宜用いられる。
【００３９】
送信継続が不可能な送信エラーの場合（Ｓ３２：ＹＥＳ）には、送信中止手段により、電子メール送信を継続できない旨を報知して、強制的に電子メール送信を中止（すなわち切断）する（Ｓ３８）。なお、送信継続が不可能な送信エラーの場合としては、例えば送信先のメールドレスの入力ミス、各種設定事項の入力ミス、各種設定事項の未入力などが含まれる。原稿の読み取り処理から画像データの電子メール送信処理までの並行処理の過程、つまり電子メールデータの送信中（１回の電子メール送信過程）において、送信中止の指示を受け付けた場合（Ｓ３８）、又は強制的に中止した場合（Ｓ３８）には、送信先の電子メールの通信システム仕様をそのまま利用して送信済みの電子メールデータを含めて遡及して電子メールデータを破棄することができる。なお、この送信中止の動作（Ｓ３８）はいずれも送信中止手段により実行させることができる。
【００４０】
ステップＳ２６→Ｓ３２→Ｓ３４→Ｓ３６の一連のフローはＲＯＭ１８に予め組み込まれたコンピュータプログラムにより適宜構成された報知選択手段により実行される。また、ステップＳ２６→Ｓ３２→Ｓ３８の一連のフローはＲＯＭ１８に予め組み込まれたコンピュータプログラムにより適宜構成された送信中止手段により実行される。
【００４１】
送信先との接続ができなかった場合（Ｓ２２：ＮＯ）には、報知選択手段により、送信先との接続ができなかった旨を報知し（Ｓ４０）、電子メール送信の継続又は中止のいずれかの選択ができるようにする（Ｓ４２）。電子メール送信の継続が選択された場合（Ｓ４２：継続）にはステップＳ２０へ戻り、電子メール送信を開始（再開）する。電子メール送信の中止が選択された場合（Ｓ４２：中止）には、電子メール送信を中止（すなわち切断）する（Ｓ３８）。送信先との接続ができなかった場合としては、例えばメールサーバ（ＭＳ３Ａ、３Ｂ）が不明なときなどが含まれる。
【００４２】
ステップＳ３６、Ｓ４２における継続又は中止のいずれかを選択する操作は操作部１５への操作入力により適宜実行させることができる。また、ステップＳ３４、Ｓ４０における報知は例えば表示部１７により表示することにより適宜実行できる。報知は表示と共に又は表示に代えて、音声などを用いて行う構成とすることも可能である。なお、操作部１５が操作者からの送信中止の指示を受け付けたときに送信先との接続を中止する接続中止コマンドを送信先へ送信して接続を切断する構成とすることができる。
【００４３】
【発明の効果】
以上に詳述した如く、本発明のファクシミリ装置によれば、電子メール送信に際して送信先との接続ができなかった場合に、その旨を報知して電子メール送信を継続するか又は中止するかのいずれかを操作者に選択させることができので、電子メール送信に際して送信先との接続ができなかった場合の操作の円滑化（操作性の向上）を図ることができる。
【００４４】
本発明のファクシミリ装置によれば、電子メール送信に際して送信エラーが検出された場合に、その内容を報知して電子メール送信を継続するか又は中止するかのいずれかを操作者に選択させることができるので、電子メール送信に際して送信エラーが検出された場合の操作の円滑化（操作性の向上）を図ることができる。また、本発明のファクシミリ装置によれば、送信エラーの内容が電子メール送信を継続できない状態に該当するときは、電子メール送信を継続できない旨の報知をして、電子メールの送信を中止することができるので、操作の円滑化（操作性の向上）を図ることができる。また、電子メール送信を中止（接続を切断）した場合には、原稿の読み取り処理から画像データの電子メール送信処理までの並行処理において、例えば誤送信した電子メールデータは送信先において遡及して破棄されることからその内容を送信先に知られることを防止できる。
【図面の簡単な説明】
【図１】本発明に係るファクシミリ装置が接続された態様の通信ネットワーク構成を示す模式図である。
【図２】本発明に係るファクシミリ装置の内部構成例を示すブロック図である。
【図３】本発明に係るファクシミリ装置の動作タイミングの状況を説明する説明図である。
【図４】本発明に係るファクシミリ装置の基本動作フローの概要を示すフローチャートである。
【図５】本発明に係るファクシミリ装置の機能動作フローの概要を示すフローチャートである。
【符号の説明】
１、１Ａ、１Ｂ、１Ｃ、１Ｄ  ファクシミリ装置（ＩＮＦＡＸ）
２Ａ、２Ｂ  パーソナルコンピュータ（ＰＣ）
３Ａ、３Ｂ  メールサーバ（ＭＳ）
４  ルータ
１０  制御部
１１  バス
１２  読取部
１３  記録部
１５  操作部
１６  ＬＡＮインターフェイス（ＬＡＮＩＦ）
１７  表示部
１８  ＲＯＭ
１９  ＲＡＭ
２０  画像メモリ
２１  モデム
２２  回線制御部（ＮＣＵ）
２３  ハードディスク（ＨＤ）
２４  データ変換部
ＩＮ  インターネット
ＬＡＮ  ローカルエリアネットワーク
ＰＳＴＮ  公衆電話回線網
【図１】
2004172760.tif 000003
【図２】
2004172760.tif 000004
【図３】
2004172760.tif 000005
【図４】
2004172760.tif 000006
【図５】
2004172760.tif 000007